(57)【特許請求の範囲】
【請求項１】
−  トークンを保持及び解放するためのトークン要素と、
−  任意に作動及び停止でき、作動時はショッピングカートのローラをブロックまたは前記ショッピングカートのハンドル操作を規制し、停止時はショッピングカートのローラをブロックしないかつ前記ショッピングカートのハンドル操作を規制しないイモビライザーと、を含むショッピングカートであって、
前記トークン要素にトークンが置かれている場合に前記イモビライザーが停止されることを特徴とするショッピングカート。
【請求項２】
−  トークンを保持及び解放するためのトークン要素と、
−  任意に作動及び停止でき、作動時はショッピングカートのローラをブロックまたは前記ショッピングカートのハンドル操作を規制し、停止時はショッピングカートのローラをブロックしないかつ前記ショッピングカートのハンドル操作を規制しないイモビライザーと、を含むショッピングカートであって、
前記トークン要素にトークンが置かれていない場合に前記イモビライザーが作動されることを特徴とするショッピングカート。
【請求項３】
前記トークン要素がセンサーを備え、前記ショッピングカートが別のショッピングカートに押し込まれていることを前記センサーが検知した場合に限り前記トークンを解放できることを特徴とする請求項１または請求項２に記載のショッピングカート。
【請求項４】
前記センサーがさらに前記ショッピングカートの位置情報を必要とし、前記ショッピングカートが特定の位置に置かれている場合にのみ限り前記トークンを解放できることを特徴とする、請求項３に記載のショッピングカート。
【請求項５】
電磁ソース、磁気ソース、又は光学ソースによって前記ショッピングカートの位置情報が生成されることを特徴とする、請求項４に記載のショッピングカート。
【請求項６】
前記トークンが挿入されている場合においても、前記ショッピングカートが所定のエリアから出た場合には、前記イモビライザーを作動できることを特徴とする、請求項１〜５のいずれか一項に記載のショッピングカート。
【発明の詳細な説明】
【技術分野】
【０００１】
本発明は、トークン（ｔｏｋｅｎ）システムとイモビライザーとを搭載したショッピングカートに関する。
【０００２】
トークンシステムの効果は、トークンを挿入するまではショッピングカートを収集所から移動できないこと、及びショッピングカートを収集所に戻すまではトークンが返却されないことにある。トークンシステムに再度トークンを挿入するまで、ショッピングカートは使用できない。
【０００３】
イモビライザーによって、定められたエリアの外でショッピングカートを使用できないようにする。
【背景技術】
【０００４】
従来技術から種々のタイプのトークンシステムが知られている。次々にネスティングできる多数のショッピングカートがロックとチェーンによって接続されるシステムがある。ショッピングカートを使用するには、ロック内にトークンを挿入しなければならない。ショッピングカートを別のショッピングカートにネスティングさせ、チェーンによって他のショッピングカートと再度接続するまでは、トークンが再び解放されることはない。
【０００５】
多くのトークンシステムでは、トークンを解放するには、その前に更なるチェーンを使ってショッピングカートを収集所に更に固定する必要がある。
【０００６】
また、従来技術からいくつかのタイプのイモビライザーも知られている。イモビライザーによって、定められた許容エリア外でショッピングカートを使用できないようにする。イモビライザーは、許容エリアを検出するための手段と、更に使用を防止するための機械的に作用する手段とを有する。少なくとも１つのローラーによってショッピングカートをブロックできるイモビライザーがある。他のイモビライザーでは、まっすぐに動かすことができないように、ショッピングカートのハンドル操作が制限されている。
【発明の開示】
【課題を解決するための手段】
【０００７】
本発明は、トークンシステムから知られている要素がイモビライザーの要素と相互に作用し、この新たな相互作用が相乗効果のある新しい組み合わせを提供するということにある。
【０００８】
トークンシステムはトークンを保持および解放するための要素を使用し、ローラーをブロック又はハンドル操作を規制する要素がイモビライザーによって使用される。
【発明を実施するための最良の形態】
【０００９】
トークンを保持及び解放するための要素は、トークンを保持及び解放するための要素が置かれているショッピングカートが別のショッピングカートに押し込まれているかどうかを検出するセンサーを有する。
【００１０】
これによって、トークンを保持及び解放するための要素は、イモビライザーを作動させ、トークンを解放する。
【００１１】
ショッピングカートを使用するには、トークンを保持及び解放するための要素にトークンを挿入する必要がある。これによって、イモビライザーが停止する。
【００１２】
イモビライザーの作動により、ショッピングカートが意図せずに転がっていくことを防止する。
【００１３】
本発明の一発展形態では、１つ以上の更なる条件の有無が検出され、更にこの更なる条件も満たされた場合に限りトークンが解放されるという程度までセンサーの機能が拡大されるようになっている。
【００１４】
この更なる条件の１つは位置情報であってもよく、この位置情報により、ショッピングカートが特定の位置に置かれている場合に限りトークンが解放されることが確実になる。
【００１５】
これによって、ショッピングカートが収集ポイントにあり、別のショッピングカートに正しく押し込まれている場合に限り、トークンを再度解放することができる。
【００１６】
ショッピングカートの列の先頭を成す最初のショッピングカートのセンサーが、このショッピングカートが別のショッピングカートに押し込まれた場合にセンサーが受信するものに相当する情報を受信するように、収集ポイントを配置する必要がある。
【００１７】
これによって、次々に押し込まれたショッピングカートが、本計画に従って提供される収集ポイント外で「無秩序な並び」を形成するのを防ぐ。
【００１８】
収集ポイントでは、ショッピングカートはイモビライザーによって制動され、それぞれ個々に制動されたショッピングカートのグループを形成する。
【００１９】
本発明の一発展形態では、認可を受けた人の場合、トークンを使用しなくても、特殊な装置を使用して、１つのショッピングカート又は複数のショッピングカートのイモビライザーを停止できるようになっている。
【００２０】
これは、例えばサービス担当者がショッピングカートをある収集ポイントから別の収集ポイントへ移動する場合に必要である。
【００２１】
最後尾のショッピングカートにトークンが挿入されると、ショッピングカートのイモビライザーが停止し、ショッピングカートを動かすことができる。
【００２２】
これによって、商品を運ぶための通常の目的にショッピングカートを使用できる。
【００２３】
ショッピングカートの供給者が許容エリアと定めたエリアの外にショッピングカートを持ち出そうとした場合、イモビライザーが作動する。
【００２４】
この場合、トークンは解放されない。
【００２５】
スタック１にいくつかのショッピングカートが置かれている。各ショッピングカートは、トークンを保持及び解放するためのトークン要素２と、少なくとも１つの車輪で作動するイモビライザー３とを有する。これらのイモビライザー３は要素２と機能的に接続される。
【００２６】
トークンを解放するキーをトークン要素２に挿入する。トークンの解放と同時に、イモビライザー３が作動する。
【００２７】
実際には、最後尾のショッピングカートがスタック１に押し込まれる。このトークン要素２ａにはトークンがあり、イモビライザー３ａは作動しないため、ショッピングカートを正常に動かすことができる。
【００２８】
また、トークン要素は、ショッピングカートが前方のカートに完全に押し込まれた場合に限りトークンを発行するセンサーを含むこともできる。
【産業上の利用可能性】
【００２９】
本発明は、産業上、ショッピングカートがトークンベースで提供され、収集ポイントに返却されるあらゆる場所で適用できる。
【図面の簡単な説明】
【００３０】
【図１】本発明を略図で示す。
【図１】
0004639238.tif 000002